(57)【要約】      （修正有）【課題】内部を長期間に乾燥状態に保持することができ、骨灰の保存に有利である骨灰缶を提供する。【解決手段】本体と、蓋と、湿気吸収層と、を含む。本体は、セラミックまたは石材で作製され、その底部の周縁から上に伸びる周壁を有し、周壁の頂部には、開口が形成される。蓋は、開口に合うことができ、湿気吸収層は、本体の内面に設けられる。【選択図】図１
0003154404.tif 000002
【実用新案登録請求の範囲】
【請求項１】
本体と、蓋と、湿気吸収層と、を含み、前記本体は、セラミックまたは石材で作製され、その底部の周縁から上に伸びる周壁を有し、前記周壁の頂部には、開口が形成され、前記蓋は、前記開口に合うことができ、前記湿気吸収層は、前記本体の内面に設けられることを特徴とする骨灰缶。
【請求項２】
前記湿気吸収層は、更に、底面と、前記底面の周縁から上に伸びる壁面と、を有し、前記底面が前記本体の底部に貼り付けられ、前記壁面が前記本体の周壁の内面に貼り付けられることを特徴とする、請求項１に記載の骨灰缶。
【請求項３】
前記本体の開口には、更に、内側に突出する規制凸縁が設けられ、前記規制凸縁により、前記湿気吸収層が前記本体の内部に嵌め込まれて前記本体と一体になることを特徴とする、請求項１に記載の骨灰缶。
【請求項４】
前記本体の開口には、更に、規制具が設けられ、前記規制具は、前記本体と前記湿気吸収層との頂部に設けられ、前記本体の内部に前記湿気吸収層を固定するためのものであることを特徴とする、請求項１に記載の骨灰缶。
【請求項５】
前記蓋の前記本体に設けられた前記開口に対向する面には、別の湿気吸収層が設けられることを特徴とする、請求項１に記載の骨灰缶。
【考案の詳細な説明】
【技術分野】
【０００１】
本考案は、骨灰缶に関し、特に、骨灰缶の本体の内面に湿気を吸収する構成を少なくとも設けることにより、骨灰缶の内部を長期間に乾燥状態に保持することができ、骨灰の保存に有利である骨灰缶に関するものである。
【背景技術】
【０００２】
地球の人口が増え続け、且つ地球の環境保全の呼掛けの反響が強くなることに従って、土葬の代りに火葬を選択する人が多くなる。火葬を選択すると、骨灰を収容するために、骨灰缶を利用することが必要である。
【０００３】
従来の骨灰缶は、セラミック又は石材で作製される、本体と、蓋と、を含み、前記本体は、底部が封止された状態にあり、頂部には開口が設けられ、前記開口には、前記蓋を合わせることができる。しかし、従来の骨灰缶は、前記開口に前記蓋を合せて、前記開口と前記蓋との間の隙間を密封する。前記開口と前記蓋とは、熱膨張係数の差及び長期間の使用による劣化により、その間の密封状態が保持できなくなり、湿気が骨灰缶の内部に侵入して、骨灰は、粘結し、更に、黒くなり臭くなる現象が発生し、骨灰を長期間に良く保存することができない。
【考案の概要】
【考案が解決しようとする課題】
【０００４】
本考案の主な目的は、骨灰缶の内部を長期間に乾燥状態に保持することができ、骨灰の保存に有利である骨灰缶を提供することにある。
【課題を解決するための手段】
【０００５】
本考案の請求項１に記載の骨灰缶によると、本体と、蓋と、湿気吸収層と、を含み、本体は、セラミックまたは石材で作製され、その底部の周縁から上に伸びる周壁を有し、周壁の頂部には、開口が形成され、蓋は、開口に合うことができ、湿気吸収層は、本体の内面に設けられることを特徴とする骨灰缶である。
【０００６】
本考案の請求項２に記載の骨灰缶によると、湿気吸収層は、更に、底面と、底面の周縁から上に伸びる壁面と、を有し、底面が本体の底部に貼り付けられ、壁面が本体の周壁の内面に貼り付けられる。
【０００７】
本考案の請求項３に記載の骨灰缶によると、本体の開口には、更に、内側に突出する規制凸縁が設けられ、規制凸縁により、湿気吸収層が本体の内部に嵌め込まれて本体と一体になる。
【０００８】
本考案の請求項４に記載の骨灰缶によると、本体の開口には、更に、規制具が設けられ、規制具は、本体と湿気吸収層との頂部に設けられ、本体の内部に湿気吸収層を固定するためのものである。
【０００９】
本考案の請求項５に記載の骨灰缶によると、蓋の本体に設けられた開口に対向する面には、別の湿気吸収層が設けられる。
【考案の効果】
【００１０】
本考案の骨灰缶によれば、骨灰缶の本体の内面に湿気を吸収する構成を少なくとも設けることにより、骨灰缶の内部を長期間に乾燥状態に保持することができ、骨灰の保存に有利であるという効果を有する。
【図面の簡単な説明】
【００１１】
【図１】本考案の第１実施形態の骨灰缶の分解側面図である。
【図２】本考案の第１実施形態の骨灰缶の組合状態の側面図である。
【図３】本考案の第２実施形態の骨灰缶の分解側面図である。
【図４】本考案の第２実施形態の骨灰缶の組合状態の側面図である。
【図５】本考案の第３実施形態の骨灰缶の分解側面図である。
【図６】本考案の第３実施形態の骨灰缶の組合状態の側面図である。
【図７】本考案の第４実施形態の骨灰缶の分解側面図である。
【図８】本考案の第４実施形態の骨灰缶の組合状態の側面図である。
【考案を実施するための形態】
【００１２】
以下、本考案の実施の形態を図面に基づいて説明する。
（第１実施形態）
まず、図１及び図２を参照する。本考案の骨灰缶は、本体１と、蓋２と、湿気吸収層３と、を含み、前記本体１は、セラミックまたは石材で作製され、その底部１１の周縁から上に伸びる周壁１２を有し、前記周壁１２の頂部には、開口１３が形成され、前記蓋２は、前記開口１３に合うことができ、前記湿気吸収層３は、前記本体１の内面に設けられる。このように、前記湿気吸収層３により、骨灰缶の内部を長期間に乾燥状態に保持することができ、骨灰の保存に有利である。
【００１３】
前記湿気吸収層３は、更に、底面３１と、前記底面３１の周縁から上に伸びる壁面３２と、を有し、前記底面３１が前記本体１の底部に貼り付けられ、前記壁面３２が前記本体１の周壁の内面に貼り付けられ、且つ前記底面３１と前記壁面３２とが一体成形される。また、前記本体１の開口３１には、更に、内側に突出する規制凸縁１４が設けられ、前記規制凸縁１４により、前記湿気吸収層３が前記本体１の内部に嵌め込まれて前記本体１と一体になる。また、前記蓋２の前記本体１に設けられた前記開口１３に対向する面には、別の湿気吸収層４が設けられる。本実施形態では、前記湿気吸収層３、４が木材を採用する。
【００１４】
（第２実施形態）
まず、図３及び図４を参照する。本考案の骨灰缶は、本体１と、蓋２と、湿気吸収層３と、を含む。本実施形態の第１実施形態と相違する点は、前記本体１の開口１３には、更に、規制具１５が設けられ、前記規制具１５は、前記本体１と前記湿気吸収層３との頂部に設けられ、前記本体１の内部に前記湿気吸収層３を固定するためのものである。前記規制具１５はセラミックまたは石材で作製される。
【００１５】
（第３実施形態）
まず、図５及び図６を参照する。本考案の骨灰缶は、本体１と、蓋２と、湿気吸収層３と、を含む。本実施形態の第１実施形態と相違する点は、湿気吸収層３の底部３１と壁面３２とが別体である。
【００１６】
（第４実施形態）
まず、図７及び図８を参照する。本考案の骨灰缶は、本体１と、蓋２と、湿気吸収層３と、を含む。本実施形態の第１実施形態と相違する点は、前記本体１の開口１３には、更に、規制具１５が設けられ、前記規制具１５は、前記本体１と前記湿気吸収層３との頂部に設けられ、前記本体１の内部に前記湿気吸収層３を固定するためのものである。前記規制具１５はセラミックまたは石材で作製される。前記湿気吸収層３の底部３１と壁面３２とは別体である。
【００１７】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【産業上の利用可能性】
【００１８】
本考案は、骨灰缶に適用することができる。
【符号の説明】
【００１９】
１：本体、２：蓋、３：湿気吸収層、４：湿気吸収層、１１：底部、１２：周壁、１３：開口、１４：規制凸縁、１５：規制具、３１：底面、３２：壁面。
【図１】
0003154404.tif 000003
【図２】
0003154404.tif 000004
【図３】
0003154404.tif 000005
【図４】
0003154404.tif 000006
【図５】
0003154404.tif 000007
【図６】
0003154404.tif 000008
【図７】
0003154404.tif 000009
【図８】
0003154404.tif 000010